(57)【特許請求の範囲】
【請求項１】
マガジン本体内のロール状の感光材料を挟持して繰り出し及び巻き戻し可能な一対のローラを前記マガジン本体に設け、少なくとも一方のローラとマガジン本体との間に、前記少なくとも一方のローラの回転に対する負荷を与えるトルクリミッタを設けてある写真処理機における感光材料収容マガジンであって、
前記トルクリミッタと少なくとも一方のローラとの間に一方向クラッチを介在させて、前記感光材料の繰り出し時には、前記少なくとも一方のローラが前記トルクリミッタから前記負荷を受けることなく、回転可能に構成すると共に、前記感光材料の巻き戻し時には前記一方向クラッチがロック状態となり、前記少なくとも一方のローラが前記トルクリミッタから負荷を受けた状態で回転可能に構成してある写真処理機における感光材料収容マガジン。
【請求項２】
前記少なくとも一方のローラの回転軸の一端部に、前記少なくとも一方のローラを人為的に回転操作するためのキャップ状のつまみを前記回転軸と同芯状に設け、前記トルクリミッタと一方向クラッチとを前記つまみに内蔵してある請求項１記載の写真処理機における感光材料収容マガジン。
【発明の詳細な説明】
【０００１】
【発明の属する技術分野】
本発明は、マガジン本体内のロール状の感光材料を挟持して繰り出し及び巻き戻し可能な一対のローラを前記マガジン本体に設け、少なくとも一方のローラとマガジン本体との間に、前記少なくとも一方のローラの回転に対する負荷を与えるトルクリミッタを設けてある写真処理機における感光材料収容マガジンに関する。
【０００２】
なお、写真処理機では、長時間作動を停止するとき等は感光材料をマガジン本体内に巻き戻して、感光材料に写真処理機本体内のローラ等の圧着痕が残るのを回避している。
【０００３】
【従来の技術】
写真処理機本体から取り外した空の感光材料収容マガジン（以下、「マガジン」と略称する）に感光材料を装着する場合、例えば二つ割り構造のマガジン本体をオペレータが作業台上で開放し、暗袋内でマガジン本体の感光材料支持部にロール状の感光材料を支持させるとともにマガジン本体を閉塞し、これにより感光材料の先端側を前記一対のローラに挟持させて感光材料を繰り出し可能にしている。
【０００４】
そして、暗袋から取り出したマガジンを写真処理機本体側に運搬して、写真処理機本体に取り付けるのであるが、その運搬や取り付けの際に衝撃等でマガジン本体内のロール状の感光材料が巻き戻し方向の回転力を受けることがある。
【０００５】
この場合、感光材料に対する一対のローラの挟持力が弱いと、前記回転力でロール状の感光材料が回転するとともに一対のローラが回転し、感光材料が巻き戻されて、感光材料の先端側が一対のローラから外れてしまい、再び感光材料を両ローラに挟持される状態に装着し直さなければならなくなる。
【０００６】
そこで従来では、感光材料が一対のローラから外れるのを防止する手段として、少なくとも一方のローラとマガジン本体との間にトルクリミッタを設け、感光材料の繰り出し及び巻き戻しのいずれの場合にも、少なくとも一方のローラに回転に対する負荷を与えるようにしてあった。
【０００７】
【発明が解決しようとする課題】
上記従来の構成によれば、感光材料の繰り出し及び巻き戻しのいずれの場合にも、少なくとも一方のローラに回転に対する負荷を与えるようにしてあったために、マガジンを写真処理機本体に装着した後のローラによる感光材料の繰り出し及び巻き戻しに大きな力を必要とし、ローラの駆動部によるエネルギーの消費量が大きかった。
【０００８】
本発明は上記実情に鑑みてなされたもので、その目的は、ロール状の感光材料を装着したマガジンを写真処理機本体側に運搬する際や写真処理機本体に取り付ける際に、衝撃等でロール状の感光材料が巻き戻し回転するのを防ぎながら、ローラの駆動部が消費するエネルギーを節減できるようにする点にある。
【０００９】
【課題を解決するための手段】
請求項１による発明の構成・作用・効果は次の通りである。
【００１０】
［構成］
冒頭に記載した写真処理機における感光材料収容マガジンにおいて、前記トルクリミッタと少なくとも一方のローラとの間に一方向クラッチを介在させて、前記感光材料の繰り出し時には、前記少なくとも一方のローラが前記トルクリミッタから前記負荷を受けることなく、回転可能に構成すると共に、前記感光材料の巻き戻し時には前記一方向クラッチがロック状態となり、前記少なくとも一方のローラが前記トルクリミッタから負荷を受けた状態で回転可能に構成してある。
【００１１】
［作用］
［イ］ロール状の感光材料を装着したマガジンを写真処理機本体側に運搬する際や写真処理機本体に取り付ける際に、衝撃等でマガジン本体内のロール状の感光材料が巻き戻し方向の回転力を受けて、前記少なくとも一方のローラが感光材料の巻き戻し方向に回転しようとすると、一方向クラッチがロック状態となってトルクリミッタから前記負荷を受ける。
【００１２】
これにより、運搬中等にマガジンが衝撃を受けても、マガジン本体内のロール状の感光材料が巻き戻されるのを回避できて、感光材料の先端側が一対のローラから外れるのを防止できる。
【００１３】
［ロ］そしてマガジンを写真処理機本体に装着した後、前記少なくとも一方のローラは、感光材料の繰り出し方向には、一方向クラッチのロック解除状態でトルクリミッタから回転に対する負荷を受けることなく回転することができる。
【００１４】
感光材料を巻き戻す場合、少なくとも一方のローラはトルクリミッタから負荷を受けた状態で巻き戻し方向に回転するが、この巻き戻し方向の回転は、一般に繰り出し方向の回転に比べて回転量・回転する頻度とも少ない。
【００１５】
［効果］
従って、上記作用［イ］，［ロ］により、ロール状の感光材料を収容したマガジンを写真処理機本体側に運搬する際や写真処理機本体に取り付ける際に、衝撃等でロール状の感光材料が巻き戻し回転するのを防ぎながら、ローラの駆動部が消費するエネルギーを節減できるようになった。
【００１６】
請求項２による発明の構成・作用・効果は次の通りである。
【００１７】
［構成］
請求項１による発明の構成において、前記少なくとも一方のローラの回転軸の一端部に、前記少なくとも一方のローラを人為的に回転操作するためのキャップ状のつまみを前記回転軸と同芯状に設け、前記トルクリミッタと一方向クラッチとを前記つまみに内蔵してある。
【００１８】
［作用］
［ハ］請求項１の構成による作用と同様の作用を奏することができるのに加え、次の作用を奏することができる。
【００１９】
［ニ］例えばメンテナンス時には、つまみを人為的に回転操作して前記少なくとも一方のローラを回転させる。
【００２０】
前記つまみは少なくとも一方のローラと同芯のキャップ状に形成してあり、そのキャップ内の空間を有効利用して、前記トルクリミッタと一方向クラッチとをつまみに内蔵してあるから、少なくとも一方のローラ周りの構造をコンパクトにまとめることができる。
【００２１】
［効果］
従って、請求項１の構成による効果と同様の効果を奏することができるのに加え、構造を簡素化することがきた。
【００２２】
【発明の実施の形態】
以下、本発明の実施の形態を図面に基づいて説明する。
【００２３】
図１に、焼付処理部２と現像処理部３とを備えた写真処理機を示してある。
【００２４】
前記焼付処理部２は、ロール状に巻かれた印画紙１ (感光材料に相当) を収容する第１マガジン８と第２マガジン７（共に感光材料収容マガジンに相当）とを写真処理機本体４内に設け、印画紙１を第１マガジン８から繰り出す状態と、第２マガジン７から繰り出す状態とに切り換え自在に構成し、印画紙１をプリントサイズにカットするカッター６と、光源１０と、ミラートンネル３２と、ネガキャリア３３と、レンズユニット３４と、露光台９とを写真処理機本体４に設けて構成してある。
【００２５】
焼付露光された印画紙１は、搬送装置により搬送されて現像処理部３へ送り込まれる。
【００２６】
次に、前記第１マガジン８について説明する（第２マガジン７は第１マガジン８と同一構造である）。
【００２７】
図２，図３に示すように、マガジン本体１１内のロール状の印画紙１を挟持して繰り出し及び巻き戻し可能な駆動ローラ１２と圧着ローラ１３とをマガジン本体１１の印画紙排出口５の近傍に設けてある。
【００２８】
前記駆動ローラ１２は駆動シャフト１４（回転軸に相当）の中央部に設けてあり、駆動シャフト１４はその一端部側の入力ギア１５を介して駆動部としての電動モータに連動連結してある。
【００２９】
前記駆動シャフト１４の入力ギア１５の近傍に第１中間ギア１６を設け、圧着ローラ１３側の従動シャフト１７に設けた第２中間ギア１８に第１中間ギア１６を噛み合わせて、駆動ローラ１２の回転に伴って圧着ローラ１３が回転するよう構成してある。
【００３０】
そして、駆動シャフト１４の他端部とマガジン本体１１との間に、駆動ローラ１２の回転に対する負荷を与えるトルクリミッタ１９を設け、トルクリミッタ１９と駆動シャフト１４の他端部との間に一方向クラッチ２０を介在させて、駆動ローラ１２がトルクリミッタ１９から前記負荷を受けることなく、印画紙１の繰り出し方向に回転可能に構成してある。
【００３１】
前記トルクリミッタ１９を構成するに、駆動シャフト１４の前記他端部に回転自在に外嵌する軸受け２１を、マガジン本体１１側の嵌合孔に相対回転不能に内嵌し、駆動シャフト１４と同芯状のスプリング２２を収容するスプリングケース２５を駆動シャフト１４に回転自在に外嵌するとともに、スプリングケース２５の一端部側に突設した径方向に沿う第１突出部２６を、軸受け２１の一端部側に形成した径方向に沿う第１係合溝に係合させ、スプリングケース２５と相対回転自在で、かつ、スプリング２２を外嵌させる内側リング２８を駆動シャフト１４に相対回転自在に外嵌させてある。
【００３２】
前記軸受け２１は円筒形状でその周部に偏平カット部を設け、これに対応する形状に前記嵌合孔を形成して、両者を互いに嵌合させることで、上記のように相対回転不能にしてある。
【００３３】
前記一方向クラッチ２０のクラッチハウジング２９の一端面側に形成した径方向に沿う第２突出部３０を、内側リング２８の一端部側に形成した径方向に沿う第２係合溝に係合させてある。
【００３４】
前記駆動シャフト１４の他端部に、駆動ローラ１２を人為的に回転操作するためのキャップ状のつまみ３１を、前記トルクリミッタ１９と一方向クラッチ２０とを覆う状態に駆動シャフト１４と同芯状に設けてある（すなわち、つまみ３１にトルクリミッタ１９と一方向クラッチ２０とを内蔵してある）。
【００３５】
上記の構造によれば、ロール状の印画紙１を収容した第１マガジン８を写真処理機本体４側に運搬する際や写真処理機本体４に取り付ける際に、衝撃等でマガジン本体１１内のロール状の印画紙１が巻き戻し方向の回転力を受けると、一方向クラッチ２０がロック状態となり、駆動シャフト１４がクラッチハウジング２９・内側リング２８と一体に回転しようとして、トルクリミッタ１９から回転に対する負荷を受ける。
【００３６】
これにより、運搬中等に第１マガジン８が衝撃を受けても、マガジン本体１１内のロール状の印画紙１が巻き戻されるのを回避できて、印画紙１の先端側が駆動ローラ１２と圧着ローラ１３とから外れるのを防止できる。
【００３７】
そして、第１マガジン８を写真処理機本体４に装着した後、駆動ローラ１２は印画紙１の繰り出し方向には、一方向クラッチ２０のロック解除状態でトルクリミッタ１９から回転に対する負荷を受けることなく回転することができる。
【００３８】
つまり、駆動シャフト１４がクラッチハウジング２９・内側リング２８に対して自由に回転する。
【００３９】
印画紙１を巻き戻す場合、駆動ローラ２１は、トルクリミッタ１９から負荷を受けた状態で巻き戻し方向に回転するが、この巻き戻し方向の回転は、一般に繰り出し方向の回転に比べて回転量・回転する頻度とも少ない。
【００４０】
［別実施形態］
上記の第１の実施形態の構造に加えて、トルクリミッタ１９を圧着ローラ１３とマガジン本体１１との間に設け、前記一方向クラッチ２０を、前記トルクリミッタ１９と圧着ローラ１３との間に介在させ、圧着ローラ１３がトルクリミッタ１９から前記負荷を受けることなく、印画紙１の繰り出し方向に回転可能に構成してあってもよい。
【００４１】
また、前記トルクリミッタ１９を駆動ローラ１２とマガジン本体１１との間に設けることなく、圧着ローラ１３とマガジン本体１１との間に設け、前記一方向クラッチ２０を、前記トルクリミッタ１９と圧着ローラ１３との間に介在させ、圧着ローラ１３がトルクリミッタ１９から前記負荷を受けることなく、印画紙１の繰り出し方向に回転可能に構成してあってもよい。
【００４２】
前記感光材料は印画紙以外のものであってもよい。
【図面の簡単な説明】
【図１】写真処理機の概略全体側面図
【図２】駆動ローラと圧着ローラとの構造を示す斜視図
【図３】駆動ローラに設けたトルクリミッタと一方向クラッチとを示す断面図
【符号の説明】
１            感光材料
１１            マガジン本体
１２，１３      ロ−ラ
１４            回転軸
１９            トルクリミッタ
２０            一方向クラッチ
【図１】
0003743489.tif 000002
【図２】
0003743489.tif 000003
【図３】
0003743489.tif 000004